(57)【要約】　　　（修正有）　【課題】水平走査や垂直走査の方向を左右や上下に反転できる液晶装置等の駆動回路を提供する。【解決手段】画像信号が供給される複数のデータ線と、走査信号が供給される複数の走査線と、各データ線及び各走査線に接続されたスイッチング手段とスイッチング手段に接続された画素電極とを有する電気光学装置の駆動回路で、画像信号をサンプリングしてデータ線に供給するためのサンプリング回路と、第１クロック信号に基づき第１転送信号を供給するシフトレジスタと、シフトレジスタからの第１転送信号と、第１及び第２波形選択信号の一方の信号の入力に基づいてサンプリング回路駆動信号をサンプリング回路に供給する複数の波形選択回路とを具備し、隣り合う波形選択回路には、第１及び第２波形選択信号の互いに異なる波形選択信号が供給されてなり、第１の波形選択信号のパルスは、第２の波形選択信号のパルスと重ならないことを特徴とする。【選択図】図２
2004139111.tif 000002
【特許請求の範囲】
【請求項１】
　画像信号が供給される複数のデータ線と、走査信号が供給される複数の走査線と、前記各データ線及び前記各走査線に接続されたスイッチング手段と前記スイッチング手段に接続された画素電極とを有する電気光学装置の駆動回路であって、
　前記画像信号をサンプリングして前記データ線に供給するためのサンプリング回路と、
　第１クロック信号に基づき第１転送信号を供給するシフトレジスタと、
　前記シフトレジスタからの前記第１転送信号と、第１及び第２波形選択信号の一方の信号の入力に基づいてサンプリング回路駆動信号を前記サンプリング回路に供給する複数の波形選択回路とを具備し、
　隣り合う波形選択回路には、前記第１及び第２波形選択信号の互いに異なる波形選択信号が供給されてなり、
　前記第１の波形選択信号のパルスは、前記第２の波形選択信号のパルスと重ならないことを特徴とする電気光学装置の駆動回路。
【請求項２】
　前記波形選択回路は、前記第１転送信号と前記第１波形選択信号との論理積又は排他的論理積をとる第１論理回路を含むことを特徴とする請求項１に記載の電気光学装置の駆動回路。
【請求項３】
　画像信号が供給される複数のデータ線と、走査信号が供給される複数の走査線と、前記各データ線及び前記各走査線に接続されたスイッチング手段と前記スイッチング手段に接続された画素電極とを有する電気光学装置の駆動回路あって、
　前記画像信号をサンプリングして前記データ線に供給するためのサンプリング回路と、
　前記第１クロック信号に基づき第１転送信号を供給するシフトレジスタと、
　前記シフトレジスタからの前記第１転送信号と、波形選択信号の一方信号の入力に基づいてサンプリング回路駆動信号を前記サンプリング回路に供給する複数の波形選択回路とを具備し、
　前記波形選択信号のパルス幅は、前記第１クロック信号のパルス幅よりも狭いことを特徴とする電気光学装置の駆動回路。
【請求項４】
　画像信号が供給される複数のデータ線と、走査信号が供給される複数の走査線と、前記各データ線及び前記各走査線に接続されたスイッチング手段と前記スイッチング手段に接続された画素電極とを有する電気光学装置の駆動回路であって、
　前記画像信号をサンプリングして前記データ線に供給するためのサンプリング回路と、
　前記第１クロック信号に基づき第１転送信号を供給するシフトレジスタと、
　前記シフトレジスタからの前記第１転送信号と、波形選択信号の入力に基づいて前記サンプリング回路駆動信号を前記サンプリング回路に供給する複数の波形選択画路とを具備し、
　前記波形選択信号のパルス波形の遷移をなまらせることを特徴とする電気光学装置の駆動回路。
【請求項５】
　複数の画像信号を複数の画素電極に供給する複数のスイッチング素子を順次駆動する電気光学装置の駆動回路であって、
　出力信号を順次供給するシフトレジスタと、
　イネーブル信号に従って前記シフトレジスタで供給された出力信号から得られる駆動信号を出力する選択回路とを有し、
　前記選択回路から出力された駆動信号に基づいて画像信号を、対応する前記スイッチング素子に供給するサンプリング回路とを具備し、
　前記イネーブル信号は、前記選択回路が前記駆動信号を前記サンプリング回路に供給されるべきタイミングを規定する非矩形のパルスであることを特徴とする電気光学装置の駆動回路。
【請求項６】
　前記イネーブル信号の非矩形形のパルスの立上がりの遷移は、２０−５０ｎｓの範囲であることを特徴とする請求項５に記載の電気光学装置の駆動回路。
【請求項７】
　前記イネーブル信号の非矩形形のパルスの立下がりの遷移は、２０−５０ｎｓの範囲であることを特徴とする請求項５または６に記載の電気光学装置の駆動回路。
【請求項８】
　請求項１乃至７のいずれか一項に記載の電気光学装置の駆動回路を備えることを特徴とする電気光学装置。
【請求項９】
　請求項８に記載の電気光学装置を有する電子機器。
【請求項１０】
　画像信号が供給される複数のデータ線と、走査信号が供給される複数の走査線と、前記各データ線及び前記各走査線に接続されたスイッチング手段と前記スイッチング手段に接続された画素電極とを有する電気光学装置の駆動方法であって、
　前記画像信号を前記第１クロック信号のパルス幅よりも狭いパルス幅からなるサンプリング制御信号によりサンプリングして前記データ線に供給する工程と、
　前記走査線を選択しながら、その選択された走査線に接続されたスイッチング手段に、サンプリングされた前記画像信号を前記データ線を介して供給する工程とを有することを特徴とする電気光学装置の駆動方法。
【請求項１１】
　画像信号が供給される複数のデータ線と、走査信号が供給される複数の走査線と、前記各データ線及び前記各走査線に接続されたスイッチング手段と前記スイッチング手段に接続された画素電極とを有する電気光学装置の駆動方法であって、
　シフトレジスタからの第１転送信号と、第１及び第２波形選択信号の一方の入力に基づくサンプリング回路駆動信号により前記画像信号をサンプリングして前記データ線に供給する工程と、
　前記走査線を選択しながら、その選択された走査線に接続されたスイッチング手段に、サンプリングされた前記画像信号を前記データ線を介して供給する工程とを有し、前記第１及び第２波形選択信号は互いに重ならずに交互に出力されてなることを特徴とする電気光学装置の駆動方法。
【請求項１２】
　画像信号が供給される複数のデータ線と、走査信号が供給される複数の走査線と、前記各データ線及び前記各走査線に接続されたスイッチング手段と前記スイッチング手段に接続された画素電極とを有する電気光学装置の駆動方法であって、
　前記第１クロック信号と波形選択信号の入力に基づいてサンプリング回路駆動信号をサンプリング回路に供給し、
　前記画像信号を前記サンプリング制御信号によりサンプリングして前記データ線に供給し、
　前記走査線を選択しながら、その選択された走査線に接続されたスイチング手段に、サンプリングされた前記画像信号を前記データ線を介して供給してなり、
　前記波形選択信号のパルス波形の遷移をなまらせることを特徴とする電気光学装置の駆動方法。
【請求項１３】
　複数の画像信号を複数の画素電極に供給する複数のスイッチング素子を順次駆動する電気光学装置の駆動方法であって、
　シフトレジスタより出力信号を順次供給するステップと、
　イネーブル信号に従って前記シフトレジスタで供給された出力信号から得られる駆動信号を出力するステップと、
　前記出力された駆動信号に基づいて画像信号を、対応する前記スイッチング素子に供給するステップとを具備し、
　前記イネーブル信号は、前記駆動信号に基づいて画像信号を、対応する前記スイッチング素子に供給するべきタイミングを規定する非矩形のパルスであることを特徴とする電気光学装置の駆動方法。
【請求項１４】
　前記イネーブル信号の非矩形形のパルスの立上がりの遷移は、２０−５０ｎｓの範囲であることを特徴とする請求項１３に記載の電気光学装置の駆動方法。
【請求項１５】
　前記イネーブル信号の非矩形形のパルスの立下がりの遷移は、２０−５０ｎｓの範囲であることを特徴とする請求項１３または１４に記載の電気光学装置の駆動方法。
【発明の詳細な説明】
【技術分野】
【０００１】
　本発明は、薄膜トランジスタ（以下適宜、ＴＦＴと称す）駆動等によるアクティブマトリクス駆動方式の液晶装置、エレクトロルミネッセンス等の電気光学装置の駆動回路、該駆動回路を備えた電気光学装置、電気光学装置の駆動方法並びに該電気光学装置を用いた電子機器の技術分野に属し、特に、液晶プロジェクタのライトバルブ等として好適に用いられる液晶装置の走査線駆動回路及びデータ線駆動回路等の周辺回路の技術分野に属する。
【背景技術】
【０００２】
　従来、この種の液晶プロジェクタのライトバルブとして液晶装置を用いる場合には、色付きの（即ち、対向基板にカラーフィルタが形成された）液晶装置を１枚だけ用いる単板方式と、色無しの（即ち、カラーフィルタが形成されていない）液晶装置をＲＧＢ別に３枚用いる複板方式とがある。単板方式は、構成が簡易であるが、表示画面を明るくして高品位の画質が得られる点で複板方式は、より優れている。この複板方式によれば、３枚の液晶装置により別々に光変調された３色光は、プリズムやダイクロイックミラーにより一つの投射光に合成された後、スクリーン上に投射される。
【０００３】
　このように、プリズム等で合成すると、例えば、図１６に示すように、ＲＧＢ用の３枚のライトバルブ５００Ｒ、５００Ｇ及び、５００Ｂによる変調後にプリズム５０２で反射するＲ光及びＢ光と比べると、Ｇ光は、プリズム５０２で反射されない。即ち、光の反転回数が一何だけＧ光について少なくなる。この現象は、もちろんＧ光の代わりに、Ｒ光又はＢ光がプリズム５０２で反射されないように光学系を構成しても同じであり、更に、ダイクロイックミラー等用いて３色光を合成した場合にも同様に起こる。従って、このような場合、Ｇ光についての表示画像を何等かの形で左右に反転する必要性が生じる。
【０００４】
　他方、商品戦略上、単板方式や複板方式の液晶プロジェクタを、床に普通に設置する床置きタイプとしても、天井に逆さに取り付けて設置する天吊りタイプとしても使用可能に構成したい場合がある。この場合、単板方式においても、設置の仕方に応じて液晶装置に供給される表示画像を左右上下に反転する必要性が生じる。また、携帯型ビデオカメラの液晶モニタのように、単板方式の液晶装置である液晶モニタを、ユーザの撮影姿勢に応じて、例えばフレキシブルジョイントを支点に反転して見れるようにしたい場合もある。この場合やはり、液晶装置の表示画像を何等かの形で上下左右に反転する必要性が生じる。
【０００５】
　そこで従来は、液晶装置のデータ線駆動回路に画像信号を所定フォーマットで供給する画像信号処理用ＩＣで、例えばＧ用の画像信号についてだけ、或いは全ての色用の画像信号について、原画像に対して上下左右が反転した画像に対応する画像信号を１フィールド毎に生成して供給する。このようにすれば、特に液晶装置や周辺回路に何等の変更を施す必要はないので便利である。
【０００６】
　或いは従来は、例えば前述のような複板方式の液晶プロジェクタ用途の場合は、３色光を合成するために、Ｒ用の液晶装置及びＢ用の液晶装置と比較して走査方向が左右に反転した液晶装置が、Ｇ用の液晶装置として用いられている。
【０００７】
　しかしながら、前述した従来の画像信号処理用ＩＣを用いて表示画像を上下左右に反転する方式は、近時の高品位画像に対応するためには、画像信号処理用ＩＣにかかる負担が大き過ぎて実践的ではなくなってしまう。
【０００８】
　また、走査方向が上下左右に反転した液晶装置を用いる方式には以下の問題点がある。即ち、一般に走査線駆動回路やデータ線駆動回路は、転送方向が一方に固定された単方向性シフトレジスタを有し、該単方向性シフトレジスタから発生される転送信号に基づいて、線順次や点順次などで走査信号や画像信号を供給して、上下左右に表示画面上で走査するように構成されている。従って、複板方式の液晶プロジェクタ用途の場合、走査方向が反転した液晶装置を用いるためには、データ線駆動回路が表示画像に対して左から右へ走査するようにシフトレジスタが構成されたＲシフト型液晶装置と、データ線駆動回路が表示画像に対して右から左へ走査するようにシフトレジスタが構成されたＬシフト型液晶装置との２種類を製造する必要性が生じる。このように２種類の液晶装置を、例えば半導体製造装置等によるＴＦＴの製造工程等で製造するのは、製造者の立場らして明らかに不利である。また、使用者の立場からしても、似たような液晶装置間で互換性がなく、個々の装置はどれも、いずれかのタイプとしてしか使用できないという実用上の問題点がある。更に、このように走査方向が固定された液晶装置では、前述した床置きタイプとしても天吊りタイプとしても使用可能な液晶プロジェクタや、画面の反転する携帯型ビデオカメラの液晶モニタを実現できない。
【０００９】
　また、シフトレジスタからの転送信号に基づいて走査信号や画像信号をデータ線又はデータ線群に供給する際、隣接したデータ線又はデータ線群に相前後して供給される画像信号の重なり等により、先行する画像信号成分が書き込まれることになり、ゴーストや画像むらが発生してしまう。このような課題は、高周波数駆動の環境下では顕著となる。
【発明の開示】
【発明が解決しようとする課題】
【００１０】
　本発明は上述した問題点を解決するものであり、比較的簡易な構成を用いて水平走査や垂直走査の方向を左右や上下に簡単に反転できる液晶装置等の電気光学装置の駆動回路、該駆動回路を備えた電気光学装置、並びに該電気光学装置を備えた電子機器を提供することを課題とする。
【課題を解決するための手段】
【００１１】
　本発明の電気光学装置の駆動回路は、上記課題を解決するために、画像信号が供給される複数のデータ線と、走査信号が供給される複数の走査線と、前記各データ線及び前記各走査線に接続されたスイッチング手段と前記スイッチング手段に接続された画素電極とを有する電気光学装置の駆動回路であって、前記画像信号をサンプリングして前記データ線に供給するためのサンプリング回路と、第１クロック信号に基づき第１転送信号を供給するシフトレジスタと、前記シフトレジスタからの前記第１転送信号と、第１及び第２波形選択信号の一方の信号の入力に基づいてサンプリング回路駆動信号を前記サンプリング回路に供給する複数の波形選択回路とを具備し、隣り合う波形選択回路には、前記第１及び第２波形選択信号の互いに異なる波形選択信号が供給されてなり、前記第１の波形選択信号のパルスは、前記第２の波形選択信号のパルスと重ならないことを特徴とする。
【００１２】
　この電気光学装置の駆動回路によれば、隣り合う波形選択回路に供給される第１及び第２波形選択信号は、適当な時間間隔が開けられているため、画像信号の重なりによる画像信号成分の書き込みによるゴーストや画像むらを未然に防止することができる。特に、高周波数駆動の環境下では効果的である。
【００１３】
　また、本発明は、前記波形選択回路は、前記第１転送信号と前記第１波形選択信号との論理積又は排他的論理積をとる第１論理回路を含むことを特徴とする。
【００１４】
　この構成によれば、前記第１転送信号と前記第１波形選択信号との論理積又は排他的論理積をとる第１論理回路を含むため、所定のパルス幅に制限することができる。
【００１５】
　また、本発明の電気光学装置の駆動回路は、画像信号が供給される複数のデータ線と、走査信号が供給される複数の走査線と、前記各データ線及び前記各走査線に接続されたスイッチング手段と前記スイッチング手段に接続された画素電極とを有する電気光学装置の駆動回路あって、前記画像信号をサンプリングして前記データ線に供給するためのサンプリング回路と、前記第１クロック信号に基づき第１転送信号を供給するシフトレジスタと、前記シフトレジスタからの前記第１転送信号と、波形選択信号の一方信号の入力に基づいてサンプリング回路駆動信号を前記サンプリング回路に供給する複数の波形選択回路とを具備し、前記波形選択信号のパルス幅は、前記第１クロック信号のパルス幅よりも狭いことを特徴とする。
【００１６】
　この電気光学装置の駆動回路によれば、隣接したデータ線あるいはデータ線群に相前後して供給される画像信号間には、適当な時間間隔が開けられているため、画像信号の重なりによる画像信号成分の書き込みによるゴーストや画像むらを未然に防止することができる。特に、高周波数駆動の環境下では特に効果的である。
【００１７】
　また、本発明の電気光学装置の駆動回路は、画像信号が供給される複数のデータ線と、走査信号が供給される複数の走査線と、前記各データ線及び前記各走査線に接続されたスイッチング手段と前記スイッチング手段に接続された画素電極とを有する電気光学装置の駆動回路であって、前記画像信号をサンプリングして前記データ線に供給するためのサンプリング回路と、前記第１クロック信号に基づき第１転送信号を供給するシフトレジスタと、前記シフトレジスタからの前記第１転送信号と、波形選択信号の入力に基づいて前記サンプリング回路駆動信号を前記サンプリング回路に供給する複数の波形選択画路とを具備し、前記波形選択信号のパルス波形の遷移をなまらせることを特徴とする。
【００１８】
　この電気光学装置の駆動回路によれば、パルス波形をなまらせることにより、波形選択信号自身のリンギングを抑えることができるとともに、波形選択信号の信号成分をノイズとして画像信号線に書き込むことを防止することができるのである。
【００１９】
　また、本発明の電気光学装置の駆動回路は、複数の画像信号を複数の画素電極に供給する複数のスイッチング素子を順次駆動する電気光学装置の駆動回路であって、出力信号を順次供給するシフトレジスタと、イネーブル信号に従って前記シフトレジスタで供給された出力信号から得られる駆動信号を出力する選択回路とを有し、前記選択回路から出力された駆動信号に基づいて画像信号を、対応する前記スイッチング素子に供給するサンプリング回路とを具備し、前記イネーブル信号は、前記選択回路が前記駆動信号を前記サンプリング回路に供給されるべきタイミングを規定する非矩形のパルスであることを特徴とする。
【００２０】
　また、前記イネーブル信号の非矩形形のパルスの立上がり、または立下がりの遷移は、２０−５０ｎｓの範囲であることを特徴とする。
【００２１】
　この構成によれば、波形選択信号の信号成分をノイズとして画像信号に書き込むことを確実に防止することができる
　また、本発明の電気光学装置の駆動方法は、画像信号が供給される複数のデータ線と、走査信号が供給される複数の走査線と、前記各データ線及び前記各走査線に接続されたスイッチング手段と前記スイッチング手段に接続された画素電極とを有する電気光学装置の駆動方法であって、前記画像信号を前記第１クロック信号のパルス幅よりも狭いパルス幅からなるサンプリング制御信号によりサンプリングして前記データ線に供給する工程と、前記走査線を選択しながら、その選択された走査線に接続されたスイッチング手段に、サンプリングされた前記画像信号を前記データ線を介して供給する工程とを有することを特徴とする。
【００２２】
　この電気光学装置の駆動方法によれば、隣接したデータ線あるいはデータ線群に相前後して供給される画像信号間に、第１クロック信号のパルス幅よりも狭いパルス幅からなるサンプリング制御信号により適当な時間間隔が開けられているため、画像信号の重なりによる画像信号成分の書き込みによるゴーストや画像むらを未然に防止することができる。特に、高周波数駆動の環境下では特に効果的である。
【００２３】
　また、本発明の電気光学装置の駆動方法は、画像信号が供給される複数のデータ線と、走査信号が供給される複数の走査線と、前記各データ線及び前記各走査線に接続されたスイッチング手段と前記スイッチング手段に接続された画素電極とを有する電気光学装置の駆動方法であって、シフトレジスタからの第１転送信号と、第１及び第２波形選択信号の一方の入力に基づくサンプリング回路駆動信号により前記画像信号をサンプリングして前記データ線に供給する工程と、前記走査線を選択しながら、その選択された走査線に接続されたスイッチング手段に、サンプリングされた前記画像信号を前記データ線を介して供給する工程とを有し、前記第１及び第２波形選択信号は互いに重ならずに交互に出力されてなることを特徴とする。
【００２４】
　この電気光学装置の駆動方法によれば、隣接したデータ線あるいはデータ線群に、第１及び第２波形選択信号線から交互に、且つ互い重ならないように出力される第１及び第２波形選択信号に基づくサンプリング回路駆動信号により前記画像信号をサンプリングして前記データ線に供給するため、データ線には画像信号の重なりによる画像信号成分の書き込みによるゴーストや画像むらを未然に防止することができる。特に、高周波数駆動の環境下では特に効果的である。
【００２５】
　また、本発明の電気光学装置の駆動方法は、画像信号が供給される複数のデータ線と、走査信号が供給される複数の走査線と、前記各データ線及び前記各走査線に接続されたスイッチング手段と前記スイッチング手段に接続された画素電極とを有する電気光学装置の駆動方法であって、前記第１クロック信号と波形選択信号の入力に基づいてサンプリング回路駆動信号をサンプリング回路に供給し、　前記画像信号を前記サンプリング制御信号によりサンプリングして前記データ線に供給し、前記走査線を選択しながら、その選択された走査線に接続されたスイチング手段に、サンプリングされた前記画像信号を前記データ線を介して供給してなり、前記波形選択信号のパルス波形の遷移をなまらせることを特徴とする。
【００２６】
　この電気光学装置の駆動回路によれば、パルス波形の遷移をなまらせることにより、波形選択信号自身のリンギングを抑えることができるとともに、波形選択信号の信号成分をノイズとして画像信号に書き込むことを防止することができるのである。
【００２７】
　また、本発明の電気光学装置の駆動方法は、複数の画像信号を複数の画素電極に供給する複数のスイッチング素子を順次駆動する電気光学装置の駆動方法であって、　シフトレジスタより出力信号を順次供給するステップと、イネーブル信号に従って前記シフトレジスタで供給された出力信号から得られる駆動信号を出力するステップと、前記出力された駆動信号に基づいて画像信号を、対応する前記スイッチング素子に供給するステップとを具備し、前記イネーブル信号は、前記駆動信号に基づいて画像信号を、対応する前記スイッチング素子に供給するべきタイミングを規定する非矩形のパルスであることを特徴とする。
【００２８】
　本発明のこのような作用及び他の利得は次に説明する実施の形態から明らかにする。
【発明を実施するための最良の形態】
【００２９】
　以下、本発明の実施の形態を図面に基づいて説明する。
【００３０】
　（液晶装置の全体構成）
　先ず、電気光学装置の一例としての液晶装置の全体構成について、図１を参照して説明する。図１は、液晶装置の実施の形態におけるＴＦＴアレイ基板１上に設けられた各種配線、周辺回路等の構成を示すブロック図である。本実施の形態は、本発明をＴＦＴ駆動によるアクティブマトリクス駆動方式の液晶装置に適用したものである。
【００３１】
　図１において、ＴＦＴアレイ基板１は、例えば石英基板、ハードガラス、シリコン基板等からなる。ＴＦＴアレイ基板１上には、マトリクス状に設けられた複数の画素電極１１と、Ｘ方向に複数配列されており夫々がＹ方向に沿って伸びるデータ線３５と、Ｙ方向に複数配列されており夫々がＸ方向に沿って伸びる走査線３１とが形成されている。また、ＴＦＴ３０のゲートには走査線３１が電気的に接続されており、所定のタイミングで、走査線３１にパルス的に走査信号Ｙ１、Ｙ２、…、Ｙｍが印加される。画素電極１１は、ＴＦＴ３０のドレインに電気的に接続されており、スイッチング素子であるＴＦＴ３０を一定期間だけそのスイッチを閉じることにより、画像信号線３０４から供給される画像信号ＶＩＤをＤ１、Ｄ２、…、Ｄｎから成るデータ線３５に書き込む。画素電極１１を介して液晶に書き込まれた所定レベルの画像信号ＶＩＤは、対向基板（後述する）に形成された対向電極（後述する）との間で一定期間保持される。またＴＦＴアレイ基板１上には、蓄積容量７０のための配線である容量線３１'（蓄電容量電極）が、走査線３１に沿ってほぼ平行に形成されており、画素電極１１に蓄積容量７０が付加されるようにする。これにより、寄生容量が原因で生ずるフリッカ等の表示品位の劣化を防ぐことができる。尚、蓄積容量７０を形成するために前段の走査線３１を蓄積容量形成のための電極として用いてもよい。このような構成を採れば、容量線３１'を設けなくてもよい。
【００３２】
　データ線３５に書き込まれる画像信号ＶＩＤは、データ線３５毎に線順次に供給しても良いし、相隣接する複数のデータ線３５同士に対してグループ毎に供給しても良い。仮に相隣接する複数のデータ線３５を同時に駆動する場合は、画像信号ＶＩＤの位相をずらすことで、データ線駆動回路の駆動周波数を低減することが可能となり、回路の信頼性や低消費電力化を実現できる。
【００３３】
　ＴＦＴアレイ基板１上には更に、画像信号ＶＩＤをサンプリングしてデータ線３５に夫々供給するサンプリング回路３０１と、データ線駆動回路１０１と、走査線駆動回路１０４とが形成されている。
【００３４】
　走査線駆動回路１０４は、後述の双方向性シフトレジスタを有しており、外部制御回路から供給される基準クロック信号ＣＬＹ及びその反転クロック信号ＣＬ INV、スタート信号ＳＰＹ等に基づいてこの双方向性シフトレジスタから出力される転送信号から所定波形及び所定タイミングの走査信号を生成し、走査線３１にパルス的に線順次印加される。走査線駆動回路１０４は特に、後で詳述するように外部から入力される転送方向制御信号に従って双方向性シフトレジスタの転送方向を順方向又は逆方向に固定することにより、複数の走査線３１に対して、図１中ＴからＢの順序で走査信号を順次供給することも、ＢからＴの順序で走査信号を順次供給することも可能である。
【００３５】
　データ線駆動回路１０１は、後述の双方向性シフトレジスタを有しており、外部制御回路から供給される基準クロックＣＬＸ及び該クロック信号の反転信号（以下、反転クロック信号と称す）ＣＬＸ INV、スタート信号ＳＰＸ等に基づいてこの双方向性シフトレジスタから出力される転送信号から所定波形及び所定タイミングのサンプリング回路駆動信号Ｓ１、Ｓ２、…Ｓｎを生成する。
【００３６】
　サンプリング回路３０１は、ＴＦＴ３０２を各データ線３５毎に備えており、画像信号線３０４がＴＦＴ３０２のソース電極に接続されており、サンプリング回路駆動信号線３０６がＴＦＴ３０２のゲート電極に接続されている。サンプリング回路駆動信号Ｓ１、Ｓ２、…Ｓｎがサンプリング回路駆動信号線３０６を介してサンプリング回路３０１に入力されると、画像信号線３０４から供給される画像信号ＶＩＤをＤＬ、Ｄ２…ＤＮの順にデータ線３５へ印加する。データ線駆動回緒１０１は特に、後で詳述するように外部から入力される転送方向制御信号に従って双方向性シフトレジスタの転送方向を順方向又は逆方向に固定することにより、データ線３５に対し、ＬからＲの順序で画像信号ＶＩＤを順次供給することも、ＲからＬの順序で画像信号ＶＩＤを順次供給することも可能に構成されている。このように、本実施の形態では、データ線３５を一本毎に選択するように構成されているが、データ線３５を複数本毎にまとめて同時選択するように構成してもよい。例えば、サンプリング回路３０１を構成するＴＦＴ３０２の書き込み特性及び画像信号ＶＩＤの周波数に応じて、複数相（例えば、３相、６相、１２相…）に相展開された画像信号ＶＩＤを画像信号線３０４から供給して、これらをグループ毎に同時にサンプリングするように構成してもよい。この際、少なくとも相展開数だけ画像信号線３０４が必要なことは言うまでもない。
【００３７】
　（駆動回路の第Ｉの実施の形態）
　次に、駆動回路の第１の実施の形態について図２から図５を参照して説明する。尚、図２は、第１の実施の形態におけるデータ線駆動回路１０１を示したものである。尚、図２においては、シリアル信号として出力される画像信号が６つのパラレルな画像信号に相展開されて６本の画像信号線３０４を介して画像信号ＶＩＤ１〜ＶＩＤ６がデータ線３５に夫々入力される構成例を用いて説明する。図３（ａ）及び（ｂ）は、このデータ線駆動回路１０１における各種信号のタイミングチャートである。図４（ａ）及び（ｂ）は、このデータ線駆動回路１０１の双方向性シフトレジスタ１１１を構成するクロックドインバータの回路図である。また、図５は、図２のデータ線駆動回路１０１から夫々出力されるサンプリング回路駆動信号線３０６の変形例を示した図である。
【００３８】
　先ず、データ線駆動回路について説明する。
【００３９】
　図２において、データ線駆動回路１０１は、双方向性シフトレジスタ１１１と、該双方向性シフトレジスタ１１１の奇数段目の出力に対応して夫々設けられた複数の波形選択回路１１２ａ及び該双方向性シフトレジスタ１１１の偶数段目の出力に対応して夫々設けられた複数の波形選択回路１１２ｂとを備えて構成されている。
【００４０】
　本実施の形態では特に、データ線駆動手段の一例としてのデータ線駆動回路１０１は、奇数の出力段を有する双方向性シフトレジスタ１１１から成り、例えば、６本の相隣接するデータ線３５から夫々なる奇数個のデータ線群に対し、ＬからＲへ向かう方向又はＲからＬへ向かう方向に対応する転送方向で、双方向性シフトレジスタ１１１の各段から順次出力されるサンプリング回路駆動信号Ｓ１、Ｓ２、Ｓ３、…、Ｓｎに基づいて、サンプリング回路３０２と協動して画像信号ＶＩＤ１〜ＶＩＤ６を順次供給可能なように構成されている。双方向性シフトレジスタ１１１には、ＬからＲへ向かう転送信号の転送をスタートさせるためのスタート信号ＳＰ（Ｌ）が図中Ｌ側から入力されるか、或いは、ＲからＬへ向かう転送信号の転送をスタートさせるためのスタート信号ＳＰ（Ｒ）が図中Ｒ側から入力される。そしてデータ線駆動回路１０１は、図３（ａ）のタイミングチャートに示すタイミングで、このスタート信号ＳＰ（Ｌ）、クロック信号ＣＬ及び反転クロック信号ＣＬ INVと第１及び第２波形選択信号ＥＮＢ１及びＥＮＢ２とが入力されると、クロック信号ＣＬの半周期だけ順次遅れ、クロック信号ＣＬのパルス幅よりも幅の狭いパルスから夫々なるサンプリング回路駆動信号Ｓ１、Ｓ２、Ｓ３、…、Ｓｎ（但し、ｎは奇数）を、サンプリング回路３０１に供給するように構成されている。
【００４１】
　次に、双方向性シフトレジスタ１１１について詳述する。
【００４２】
　図２に示すように、双方向性シフトレジスタ１１１の各段は、第１方向制御信号の一例としての２値の転送方向制御信号Ｄ及び該転送方向制御信号の反転信号（以下、反転転送方向制御信号と称す）Ｄ INVに応じて転送方向が固定され、所定周期の第１クロック信号の一例としての基準クロック信号ＣＬ及び反転クロック信号ＣＬ INVの２値レベルが変化する毎に転送信号に帰還をかけて次段に転送すると共に出力する第１ゲート手段の一例を構成する４つのクロックドインバータ１１４、１１５、１１６及び１１７を夫々含んで構成されている。
【００４３】
　第１クロックドインバータの一例としてのクロックドインバータ１１４は、転送方向制御信号Ｄがハイレベルの時に転送可能となり転送方向を順方向の一例としてのＬからＲへ向かう方向に固定するように構成及び接続されている。
【００４４】
　第２クロックドインバータの一例としてのクロックドインバータ１１５は、反転転送方向制御信号Ｄ INVがハイレベルの時に転送可能となり転送方向を逆方向の一例としてのＲからＬへ向かう方向に固定するように構成及び接続されている。
【００４５】
　第３クロックドインバータの一例としてのクロックドインバータ１１６は、転送方向がＬからＲへ向かう方向に固定されると、クロックドインバータ１１４を介して転送される転送信号を、クロック信号ＣＬがハイレベルの時に転送すると共に、転送方向がＲからＬへ向かう方向に固定されると、クロックドインバータ１１５を介して転送される転送信号に、クロック信号ＣＬがハイレベルの時に帰還をかけるように構成及び接続されている。
【００４６】
　また、第４クロックドインバータの一例としてのクロックドインバータ１１７は、転送方向がＲからＬへ向かう方向に固定されると、クロックドインバータ１１５を介して転送される転送信号を、反転クロック信号ＣＬ INVハイレベルのときに転送すると共に、転送方向がＬからＲへ向かう方向に固定されると、クロックドインバータ１１４を介して転送される転送信号に、反転クロック信号ＣＬ INVがハイレベルの時に帰還をかけるように構成及び接続されている。
【００４７】
　図４（ａ）に抜粋して示すクロックドインバータ１１６の具体的な回路構成を、図４（ｂ）に回路図で示す。尚、他のクロックドインバータ１１４、１１５及び１１７についても、クロック入力端子に入力されるクロック信号ＣＬ及び反転クロック信号ＣＬ INVが夫々転送方向制御信号Ｄ及び反転転送方向制御信号Ｄ INV、反転転送方向制御信号Ｄ INV及び転送方向制御信号Ｄ、並びに反転クロック信号ＣＬ INV及びクロック信号ＣＬとなるだけで、回路構成はどれも同一である。
【００４８】
　図４（ｂ）に示すように、クロックドインバータ１１６は、クロック信号ＣＬがゲートに入力されるＮチャネルＴＦＴと、反転クロック信号ＣＬ INVが入力されるＰチャネルＴＦＴと、ゲートに転送信号が夫々入力されるように並列に接続されたＰチャネルＴＦＴ及びＮチャネルＴＦＴと、電源ＶＳＳ（接地電位電源）及びＶＤＤ（高電位電源）とが、図に示す如くに接続されている。このように各クロックドインバータは、電源ＶＳＳ及びＶＤＤを必要とするため、図２に示した双方向性シフトレジスタ１１１全体としても電源配線を各クロックドインバータに引き回す必要がある。また、各クロックドインバータにおいては、入力端子と出力端子との間は各ＴＦＴのゲーＲト絶縁膜により絶縁されているため、転送信号の周波数が高くても、転送方向に逆らって電流リークしない利点がある。従って、双方向性シフトレジスタ１１１全体としても、高周波数に対して安定した転送信号を出力することが出来る利点がある。
【００４９】
　次に、波形選択回路１１２ａ及び１１２ｂについて説明する。
【００５０】
　図２において、波形選択回路１１２ａは、双方向性シフトレジスタ１１１の奇数段目から出力される転送信号のパルス幅を、第１波形選択信号ＥＮＢ１のパルス幅に制限するように構成されている。波形選択回路１１２ａは例えば、図２に示すように、第１論理回路の一例を構成する、転送信号と波形選択信号ＥＮＢ１との排他的論理積をとるＮＡＮＤ回路と、その結果を反転させるインバータ回路とから構成されており、このような論理演算により、図３（ａ）及び（ｂ）に示すように、転送信号のパルス幅を信号ＥＮＢ１のパルス幅に制限する。
【００５１】
　また、波形選択回路１１２ｂは、双方向性シフトレジスタ１１１の偶数段目から出力される転送信号のパルス幅を第２波形選択信号ＥＮＢ２のパルス幅に制限するように構成されている。波形選択回路１１２ｂは例えば、図２に示すように、第２論理回路の一例を構成する、転送信号と波形選択信号ＥＮＢ２との排他的論理積をとるＮＡＮＤ回路とその結果を反転させるインバータ回路とから構成されており、このような論理演算により、図３（ａ）及び（ｂ）に示すように、転送信号のパルス幅を信号ＥＮＢ２のパルス幅に制限する。
【００５２】
　次に、以上のように構成されたデータ線駆動回路１０１の動作について説明する。
【００５３】
　先ず、図２において第１の場合として、転送方向制御信号Ｄがハイレベルに固定され且つ反転転送方向制御信号Ｄ INVがローレベルに固定されて、双方向性シフトレジスタ１１１に入力されると、双方向性シフトレジスタ１１１の各段に設けられており、この条件で転送可能とされるクロックドインバータ１１４及びこの条件で転送不可能とされるクロックドインバータ１１５により、転送方向はＬからＲへ向かう方向に固定される。この状態で、図３（ａ）に示すように、転送をスタートさせるための信号ＳＰ（Ｌ）が入力されると、クロック信号ＣＬ及び反転クロック信号ＣＬ INVの２値レベルが変化する毎に、クロック信号ＣＬ及び反転クロック信号ＣＬ INVが入力されるクロックドインバータ１１６及び１１７が転送及び帰還を夫々行う。そして帰還がかけられた転送信号が、双方向性シフトレジスタ１１１の次段（Ｒ側の段）に転送されると共に対応する波形選択回路１１２ａ又は１１２ｂに出力される。このように帰還が各段でかけられるため、転送信号はなまることはなく、次段へと順次転送されて行く。
【００５４】
　他方、図２において第２の場合として、転送方向制御信号Ｄがローレベルに固定されて且つ反転転送方向制御信号Ｄ INVがハイレベルに固定されて、双方向性シフトレジスタ１１１に入力されると、双方向性シフトレジスタ１１１の各段において、この条件で転送不可能とされるクロックドインバータ１１４及びこの条件で転送可能とされるクロックドインバータ１１５により、転送方向はＲからＬへ向かう方向に固定される。この状態で、図３（ｂ）に示すように、転送をスタートさせるためのスタート信号ＳＰ（Ｒ）が入力されると、クロック信号ＣＬ及びその反転クロック信号ＣＬ INVの２値レベルが変化する毎に、クロック信号ＣＬ及びその反転クロック信号ＣＬ INVが入力されるクロックドインバータ１１６及び１１７が帰還及び転送を夫々行う。そして、帰還がかけられた転送信号が、双方向性シフトレジスタ１１１の次段（Ｌ側の段）に転送されると共に対応する波形選択回路１１２ａ又は１１２ｂに出力される。
【００５５】
　ここで仮に、双方向性シフトレジスタ１１１が偶数段の双方向性シフトレジスタであったとすれば、転送方向がＬからＲへ向かう方向である場合とＲからＬへ向かう方向である場合とでは、双方向性シフトレジスタ１１１の最初の段（例えば、Ｌ端又はＲ端の段）から出力される転送信号はクロック信号ＣＬの半周期だけ位相がずれた信号となってしまう。このため、実際に転送方向を反転させて、液晶装置１０により画像表示を支障無く行うためには、転送方向制御信号Ｄ及び反転転送方向制御信号Ｄ INVの２値レベルを変更するだけでは足りず、クロック信号ＣＬ及び反転クロック信号ＣＬ INVを夫々反転させる必要が生じる。即ち、この場合には、クロック信号ＣＬ及び反転クロック信号ＣＬ INVの配線を何処かで切り換えなければならないことになるが、本実施の形態では、双方向性シフトレジスタ１１１は奇数の出力段を有するように構成されているため、図３（ａ）及び（ｂ）に示すように、転送方向がＬからＲへ向かう方向であれ、ＲからＬへ向かう方向であれ、双方向性シフトレジスタ１１１の最初の段（左端又は右端の段）から出力される転送信号は同一の信号となる。即ち、転送方向を反転させるためには、転送方向制御信号Ｄ及び反転転送方向制御信号Ｄ INVの２値レベルを変更するだけで足り、クロック信号ＣＬ及び反転クロックＣＬ INVを反転させる必要がないので装置の構成上も制御上も大変有利である。
【００５６】
　また、波形選択回路も同様に、双方向性シフトレジスタが偶数の出力段の場合には、双方向シフトレジスタの奇数段からの出力信号により制御される波形選択回路１１２ａに入力される波形選択信号ＥＮＢ１と双方向シフトレジスタの偶数段からの出力信号により制御される波形選択回路１１２ｂに入力される波形選択信号ＥＮＢ２を、転送方向を反転する度に波形選択信号ＥＮＢ１とＥＮＢ２を入れ替える必要があるが、本実施の形態では、双方向性シフトレジスタ１１１は奇数の出力段を有するように構成されているため、図３（ａ）及び（ｂ）に示すように、転送方向がＬからＲへ向かう方向であれ、ＲからＬへ向かう方向であれ、双方向性シフトレジスタ１１１の最初の段（左端又は右端の段）から出力される出力信号は同一の信号となる。即ち、転送方向を反転させるためには、転送方向制御信号Ｄ及び反転転送方向制御信号Ｄ INV２値レベルを変更するだけで足り、波形選択信号ＥＮＢ１及びＥＮＢ２を反転させる必要がないので装置の構成上も制御上も大変有利である。
【００５７】
　このため、画像信号処理用ＩＣ等において、メモリー等を持たせてクロック信号を切り換える機構や制御が必要なくなり、液晶装置１０の構成上や制御上だけでなく、コスト面においても大変有利になる。特に、このような切換えは、駆動周波数が高くなるほどに一般に困難になるため、駆動周波数が高いデータ線駆動回路１０１の場合には、非常に効果的である。
【００５８】
　以上のように、ＬからＲへ向かう方向又はＲからＬへ向かう方向で双方向性シフトレジスタ１１１の各般から転送信号が順次出力されると、波形選択回路１１２ａ及び１１２ｂでは、以下の動作を行う。
【００５９】
　即ち、双方向性シフトレジスタ１１１の奇数段目から出力される転送信号のパルス幅は、波形選択回路１１２ａにより、図３（ａ）又は（ｂ）に示すように、第１波形選択信号ＥＮＢ１のパルス幅に制限される。双方向性シフトレジスタ１１１の偶数段目から出力される転送信号のパルス幅は、図３（ａ）又は（ｂ）に示すように、波形選択回路１１２ｂにより、第２波形選択信号ＥＮＢ２のパルス幅に制限される。その後、これらのパルス幅が制限された転送信号は、転送方向がＲからＬへ向かう方向であれば、図３（ａ）に示すように、サンプリング回路駆動信号Ｓ１、Ｓ２、…、Ｓｎ（但し、ｎは奇数）として、順次サンプリング回路３０１へ出力される。或いは、転送方向がＬからＲへ向かう方向であれば、図３（ｂ）に示すように、サンプリング回路駆動信号Ｓｎ、Ｓｎ−１、Ｓｎ−２、…、Ｓ１として、順次サンプリング回路３０１へ出力される。
【００６０】
　従って、このパルス幅の制限により適当な時間間隔が開けられた信号Ｓ１、Ｓ２、…、Ｓｎに応じて、隣接したデータ線群に相前後して供給される画像信号間には、適当な時間間隔があけられる。このように画像信号間に、適当な時間間隔をあけておけば、特に高周波数駆動の環境下でこれらの画像信号が重なってしまい、先行する画像信号成分を多少なりとも書込むことによるゴーストや画像むらが生じる事態を未然に防止できるので大変有利である。
【００６１】
　以上のように、波形選択回路１１２ａ及び１１２ｂにより転送信号のパルス幅が制限されることにより生成されたサンプリング回路駆動信号Ｓ１、Ｓ２、…、Ｓｎ、又はＳｎ、Ｓｎ−１、…、Ｓ１、（但し、Ｎは奇数）は、例えば６相に展開された夫々の画像信号ＶＩＤ１〜ＶＩＤ６に対応する相隣接する６つのデータ線からなるデータ線群におけるサンプリング回路３０１を構成する６つのＴＦＴ３０２のゲートに同時に入力される。これにより、データ線３５は６本ずつ同時に駆動され、更にこの動作が繰り返されて、６本のデータ線からなるデータ線群毎に画像信号が順次供給される。
【００６２】
　尚、一つのデータ線群に対しては、同一の転送信号に基づいて画像信号が供給されるので、データ線群を構成するデータ線３５の数は、画像信号処理用ＩＣからデータ線駆動回路１０１に入力される画像信号の相展開数と一致させるのが好ましい。従って、画像信号の形式により相展開がされていない場合若しくはサンプリング回路３０１の各ＴＦＴ３０２の書込み能力が高い又はサンプリング回路３０２に十分な書込み時間が与えられている場合には、例えば、図５に示すように、データ線群は、１本のデータ線で形成してもよい。
【００６３】
　図５は、図２のデータ線駆動回路１０１から夫々出力されるサンプリング回路駆動信号線３０６の変形例を示している。図５において、データ線駆動回路１０１の構成は図２の場合と同じであるが、サンプリング回路３０１の各ＴＦＴ３０２が夫々一つの波形選択回路１１２ａ又は１１２ｂに接続されている。この結果、データ線３５は、データ線駆動回路１０１により１本ずつ順番に駆動される。
【００６４】
　次に、走査線駆動回路について説明する。
【００６５】
　走査線駆動手段の一例としての走査線駆動回路１０４は、データ線駆動回路１０１の場合と同様に図２に示した奇数の出力段を有する双方向性シフトレジスタ１１１を有しており、各段における転送信号の出力が走査線３１に接続されており、走査線３１に対し、ＴからＢへ向かう方向又はＢからＴへ向かう方向に対応する転送方向で、双方向性シフトレジスタ１１１の各段から順次出力される転送信号をそのまま走査信号として、或いはデータ線駆動回路１０１の場合と同様に図２に示した波形選択回路１１２ａ及び１１２ｂを介して走査信号としてから、順次供給するように構成されている。
【００６６】
　この場合、双方向性シフトレジスタ１１１の構成は同じであるが、転送方向制御信号としては、データ線駆動回路１０１と同じ転送方向制御信号Ｄ及び反転転送方向制御信号Ｄ INVを用いてもよいし、走査線駆動回路１０４専用の転送方向制御信号を用意してもよい。同じ転送方向制御信号Ｄ及び反転転送方向制御信号Ｄ INVを用いれば、データ線駆動回路１０１及び走査線駆動回路１０４の転送方向の切り換えを完全に連動して行うことができ、専用の転送方向制御信号を用いれば、データ線駆動回路１０１及び走査線駆動回路１０４の転送方向の切り換えを独立して行うことができる。
【００６７】
　尚、走査線駆動回路１０４用のクロック信号は、走査線３１の総数と垂直走査期間の長さによるが、マルチシンク駆動のような特殊な高速駆動を行わなければ、データ線駆動回路１０１のクロック信号ＣＬ及びＣＬ INVよりも、低い周波数のクロック信号が用いられる。また、走査線駆動回路１０４におけるクロック周波数を低く設定することにより、相隣接した走査線３１に供給される走査信号が実質的に重ならないようにできれば、走査線駆動回路１０４においては、外部からの波形選択信号により制御される波形選択回路１１２ａ及びＢを省略できる。
【００６８】
　（駆動回路の第２の実施の形態）
　次に、駆動回路の第２の実施の形態について図６及び図７を参照して説明する。ここに図６は、第２の実施の形態におけるデータ線駆動回路１０１を示したものである。また、図７は、このデータ線駆動回路１０１の双方向性シフトレジスタを構成するトランスミッションゲートの回路図である。尚、図２に示した第１の実施の形態と同じ構成要素については同じ参照符号を付しその説明は省略する。
【００６９】
　図６において、データ線駆動回路１０１は、奇数の出力段を有する双方向性シフトレジスタ１２１を備えており、双方向性シフトレジスタ１２１の各段は、第１ゲート手段の他の例を構成する２つのトランスミッションゲート１２４及び１２５並びに２つのクロックドインバータ１２６及び１２７を含んで構成されている。
【００７０】
　第１トランスミッションゲートの一例としてのトランスミッションゲート１２４は、転送方向制御信号Ｄがハイレベルの時に転送可能となり転送方向をＬからＲへ向かう方向に固定するように構成及び接続されている。
【００７１】
　第２トランスミッションゲートの一例としてのトランスミッションゲート１２５は、反転転送方向制御信号Ｄ INVがハイレベルの時に転送可能となり転送方向をＲからＬへ向かう方向に固定するように構成及び接続されている。
【００７２】
　第１クロックドインバータの他の一例としてのクロックドインバータ１２６は、転送方向がＬからＲへ向かう方向に固定されると、トランスミッションゲート１２４を介して転送される転送信号を、クロック信号ＣＬがハイレベルの時に転送すると共に、転送方向がＲからＬへ向かう方向に固定されると、トランスミッションゲート１２５を介して転送される転送信号を、クロック信号ＣＬがハイレベルの時に転送するように構成及び接続されている。
【００７３】
　また、第２クロックドインバータの他の一例としてのクロックドインバータ１２７は、転送方向がＲからＬへ向かう方向に固定されると、トランスミッションゲート１２５を介して転送される転送信号に、インバータ１２８の前後において、反転クロック信号ＣＬ INVがハイレベルの時に帰還をかけると共に、転送方向がＬからＲへ向かう方向に固定されると、トランスミッションゲート１２４を介して転送される転送信号に、インバータ１２８の前後において、反転クロック信号ＣＬ INVがハイレベルの時に帰還をかけるように構成及び接続されている。
【００７４】
　図７（ａ）に抜粋して示すトランスミッションゲート１２６の具体的な回路構成を図７（ｂ）に回路図で示す。尚、他のトランスミッションゲート１２７についても、クロック入力端子に入力されるクロック信号ＣＬ及び反転クロック信号ＣＬ INVが夫々反転転送方向制御信号Ｄ INV及び転送方向制御信号Ｄとなるだけで、回路構成は同一である。
【００７５】
　トランスミッションゲート１２６は、クロック信号ＣＬがゲートに入力されるＮチャネルＴＦＴと反転クロック信号ＣＬ INVが入力されるＰチャネルＴＦＴとが、ソース−ドレイン間で転送信号を転送するように、図に示す如くに接続されている。このように各トランスミッションゲートは、電源を必要としないため、双方向性シフトレジスタ１２１全体としても電源配線を各トランスミッションゲートに引き回す必要がない利点がある。これにより、データ線駆動回路１０１や走査線駆動回路１０４のレイアウト面積を縮小することができるので、小型の液晶装置が実現できる。
【００７６】
　以上のように構成されているので、双方向性シフトレジスタ１２１は、転送方向制御信号Ｄ及び反転転送方向制御信号Ｄ INVの２値レベルに応じて、転送方向がＬからＲへ向かう方向又はＲからＬへ向かう方向である単方向性シフトレジスタとして機能する。
【００７７】
　尚、波形選択回路１１２ａ及び１１２ｂについては、第１の実施の形態の場合と同じである。
【００７８】
　また、第２の実施の形態では、走査線駆動回路については、双方向性シフトレジスタ１１１又は１２１を用いて第１の実施の形態における走査線駆動回路１０４と同様に構成すればよいので、その説明は省略する。
【００７９】
　（駆動回路の第３の実施の形態）
　次に、駆動回路の第３の実施の形態について図８を参照して説明する。ここに図８は、第３の実施の形態におけるデータ線駆動回路を示したものである。尚、図２に示した第１の実施の形態と同じ構成要素については同じ参照符号を付しその説明は省略する。
【００８０】
　図８において、データ線駆動回路１０１は、奇数の出力段を有する双方向性シフトレジスタ１３１を備えており、双方向性シフトレジスタ１３１の各段は、第１ゲート手段の他の例を構成する４つのトランスミッションゲート１３４〜１３７を含んで構成されている。
【００８１】
　第１トランスミッションゲートの他の一例としてのトランスミッションゲート１３４は、転送方向制御信号Ｄがハイレベルの時に転送可能となり転送方向をＬからＲへ向かう方向に固定するように構成されている。
【００８２】
　第２トランスミッションゲートの他の一例としてのトランスミッションゲート１３５は、反転転送方向制御信号Ｄ INVがハイレベルの時に転送可能となり転送方向をＲからＬへ向かう方向に固定するように構成されている。
【００８３】
　第３トランスミッションゲートの一例としてのトランスミッションゲート１３６は、転送方向がＬからＲへ向かう方向に固定されると、トランスミッションゲート１３４を介して転送される転送信号を、クロック信号ＣＬがハイレベルの時に転送すると共に、転送方向がＲからＬへ向かラ方向に固定されると、トランスミッションゲート１３５を介して転送される転送信号を、クロック信号ＣＬがハイレベルの時に転送するように構成及び接続されている。
【００８４】
　また、第４トランスミッションゲートの一例としてのトランスミッションゲート１３７は、転送方向がＲからＬへ向かう方向に固定されると、トランスミッションゲート１３５を介して転送される転送信号に、反転クロック信号ＣＬ INVがハイレベルの時に、インバータ１３８及び１３９の前後において帰還をかけると共に、転送方向がＬからＲへ向かう方向に固定されると、トランスミッションゲート１３４を介して転送される転送信号に、反転クロック信号ＣＬ INVがハイレベルの時に、インバータ１３８及び１３９の前後において帰還をかけるように構成されている。
【００８５】
　以上のように構成されているので、双方向性シフトレジスタ１３１は、転送方向制御信号Ｄ及び反転転送方向制御信号Ｄ INVの２値レベルに応じて、転送方向がＬからＲへ向かう方向又はＲからＬへ向かう方向である単方向性シフトレジスタとして機能する。
【００８６】
　また、本実施の形態は、双方向性シフトレジスタ１３１を構成する回路を全てトランスミッションゲートで構成しているため、電源を双方向シフトレジスタ１３１に引き回す必要がなくなり、データ線駆動回路１０１や走査線駆動回路１０４のレイアウト面積を縮小できるため、小型の液晶装置が実現できる。
【００８７】
　尚、波形選択回路１１２ａ及び１１２ｂについては、第１の実施の形態の場合
と同じである。
【００８８】
　また、第３の実施の形態では、走査線駆動回路については、双方向レジスタ１１１、１２１又は１３１を用いて第１の実施の形態における走査線駆動回路１０４と同様に構成すればよいので、その現明は省略する。
【００８９】
　（駆動回路の変形形態）
　次に、駆動回路の変形形態について図９及び図１０を参照して説明する。各変形形態は、双方向性シフトレジスタの変形に係るものであるので、この点についてのみ説明する。
【００９０】
　先ず、第１の変形形態は、前述した第１の実施の形態（図２参照）において、転送方向固定用のクロックドインバータ１１４及び１１５に夫々代えて、図９に示すように、“トランスミッションゲート＋インバータ”１１４’及び“トランスミッションゲート＋インバータ”１１５’を用いるものである。この“トランスミッションゲート＋インバータ”１１４’及び１１５’に対し、転送方向制御信号Ｄ及び反転転送方向制御信号Ｄ INVを入力すれば、それらの２値レベルに応じて、転送方向がＬからＲへ向かう方向又はＲからＬへ向かう方向である単方向性シフトレジスタとすることができる。この場合、第１の実施の形態と比較すると、図７（ｂ）に示したようにトランスミッションゲートに対しては、電源が必要ないので、周辺回路のレイアウト面積を縮小することが可能となり、小型の液晶装置が実現できる。
【００９１】
　次に、第２の変形形態は、前述した第２及び第３の実施の形態（図６及び図８参照）において、トランスミッションゲート１２４、１２５及び１３４〜１３７の少なくとも一つに夫々代えて、ＰチャネルＴＦＴ或いはＮチャネルＴＦＴのいずれかを用いるものである。図１０に、このようなＰチャネルＴＦＴ及びＮチャネルＴＦＴのどちらか一方を用いた一例を示す。この場合、第１の実施の形態と比較すると、ＰチャネルＴＦＴ及びＮチャネルＴＦＴのどちらか一方を用いた場合の構造は、図７に示したトランスミッションゲートよりも更に単純であり且つ電源が必要でない。素子数はトランスミッションゲートの半分で済むので、データ線駆動回路１０１や走査線駆動回路１０４のレイアウト面積をさらに縮小することが可能となり、超小型の液晶装置が実現できる。
【００９２】
　その他、各種の半導体素子、基本回路等を用いて、本発明に沿う奇数の出力段を有する双方向性シフトレジスタを構成でき、奇数の出力段を有するが故に前述ように、クロック信号や波形選択信号を反転させる必要なく、転送方向制御信号の２値レベルを変えるだけで、転送方向を逆転できる便利な双方向レジスタを構築でき、これにより垂直走査や水平走査を簡単に左右上下に反転できる液晶装置を実現できる。
【００９３】
　上記の実施の形態では、双方向性シフトレジスタにおいて、波形選択信号ＥＮＢ１とＥＮＢ２を適当な時間間隔をあけるように、即ち隣り合う波形選択回路からそれぞれ出力される波形選択信号ＥＮＢ１とＥＮＢ２が重ならないように構成されている。しかしながら、双方向性シフトレジスタの講成を有しないシフトレジスタの場合においても、クロック信号を本実施の形態の波形選択回路を用いてパルス幅を調整し、隣り合う波形選択信号を重ならないように構成すれば、ゴーストや画像むらを未然に防止するのに効果的である。
【００９４】
　また、上記の実施の形態における波形選択信号の変形例について図１７を用いて説明する。図１７はスタート信号ＳＰ、クロック信号ＣＬ及び反転クロック信号ＣＬ INVと、波形選択信号ＥＮＢ１とＥＮＢ２の波形を示すものであり、上記の実施の形態との相違点についてのみ説明し、共通な構成については省略する。
【００９５】
　図１７において、波形選択信号のパルス波形の遷移は数＋ｎｓ、好ましくは２０ｎｓ以上、５０ｎｓ以下の範囲でなまらせる。具体的には、波形選択信号ＥＮＢ１とＥＮＢ２の立ち上がりと立ち下がりにおいて、上記の範囲でなまらせるように構成している。このようにパルス波形をなまらせることにより、波形選択信号自身のリンギングを抑えることができるとともに、波形選択信号の信号成分をノイズとして画像信号線に書き込むことを防止することができる。
【００９６】
　さらに、図１８の波形選択信号線と画像信号線のレイアウトの平面図を用いて説明する。図１８において、１８５と１８６はそれぞれ波形選択信号ＥＮＢ１とＥＮＢ２の波形選択信号線であり、１８７〜１９２は画像信号ＶＩＤＬ〜ＶＩＤ６の画像信号線を示す。
【００９７】
　外部回路（図示せず）から実装端子１８１、１８２、１８３及び１８４を介して波形選択信号ＥＮＢ１、ＥＮＢ２及び画像信号ＶＩＤ１とＶＩＤ２がそれぞれ波形選択信号線１８５と１８６及び画像信号線１８７と１８８に入力される。尚、画像信号配線１８９〜１９２の実装端子は図面上省略されている。
【００９８】
　例えば図１８に示されるように波形選択信号ＥＮＢ１、ＥＮＢ２の波形選択信号線１８５と１８６及び画像信号ＶＩＤＬ〜ＶＩＤ６の画像信号線１８７〜１９２とが隣接して配置されている場合は、波形選択信号線１８５と１８６の波形選択信号ＥＮＢ１とＥＮＢ２がノイズとして画像信号配線１８７〜１８２の画像信号ＶＩＤ１〜ＶＩＤ６に重畳される可能性がある。しかしながら、たとえ隣接配置したとしても、上述のように波形選択信号の遷移をなまらせておけば、このような問題を防ぐことができる。
【００９９】
　尚、以上の実施の形態では、画素電極１１及びＴＦＴ３０から、画素に対応する液晶部分を能動的に駆動する画素駆動手段の一例が構成されている。しかしながら、画素駆動手段は、この一例に限られるものではない。例えば、データ線３５及び走査線３１のうちの一方を対向電極として対向基板に設けて、ＴＦＴアレイ基板１に形成されたデータ線３５及び走査線３１のうちの他方と画素電極１１との間に、双方向ダイオード特性を夫々有するＭＩＭ駆動素子等の２端子型非線形素子を夫々介在させることにより、当該対向電極、画素電極１１及び２端子型非線形素子から画素駆動手段の他の例を構成してもよい。その他、各種のスイッチング素子、更には各種の液晶材料（液晶相）、動作モード、液晶配列、駆動方法等に本実施の形態を適用することが可能である。
【０１００】
　（電子機器）
　次に、以上詳細に説明した液晶装置１０を備えた電子機器の実施の形態について図１１から図１５を参照して説明する。
【０１０１】
　先ず図１１に、このように液晶装置１０を備えた電子機器の概略構成を示す。
【０１０２】
　図１１において、電子機器は、表示情報出力源１０００、表示情報処理回路１００２、前述の走査線駆動回路１０４及びデータ線駆動回路１０１を含む駆動回路１００４、液晶装置１０、クロック発生回路１００８並びに電源回路１０１０を備えて構成されている。表示情報出力源１０００は、ＲＯＭ（Read  Only  Memory）、ＲＡＭ（Read  Access  Memory）、光ディスク装置などのメモリ、同調回路等を含み、クロック発生回路１００８からのクロック信号に基づいて、所定フォーマットの画像信号などの表示情報を表示情報処理回路１００２に出力する。表示情報処理回路１００２は、増幅・極性反転回路、相展開回路、ローテーション回路、ガンマ補正回路、クランプ回路等の周知の各種処理回路を含んで構成されており、クロック信号に基づいて入力された表示情報からデジタル信号を順次生成し、クロック信号CLKと共に駆動回路１００４に出力する。駆動回路１００４は、前述の駆動方法により液晶装置１０を駆動する。電源回路１０１０は、上述の各回路に所定電源を供給する。尚、液晶装置１０を構成するＴＦＴアレイ基板の上に、駆動回路１００４を搭載してもよく、これに加えて表示情報処理回路１００２を搭載してもよい。
【０１０３】
　次に図１２から図１５に、このように構成された電子機器の具体例を夫々示す。
【０１０４】
　図１２において、電子機器の一例たる液晶プロジェクタ１１００は、上述した駆動回路１００４がＴＦＴアレイ基板上に搭載された液晶装置１０を含む液晶表示モジュールを３個用意し、夫々ＲＧＢ用のライトバルブ１０Ｒ、１０Ｇ及び１０Ｂとして用いた投射型プロジェクタとして構成されている。液晶プロジェクタ１１００では、白色光源のランプユニット１１０２から投射光が発せられると、ライトガイド１１０４の内部で、複数のミラー１１０６を介して、２枚のダイクロイックミラー１１０８によって、ＲＧＢの３原色に対応する光成分Ｒ、Ｇ、Ｂに分けられ、各色に対応するライトバルブ１０Ｒ、１０Ｇ及び１０Ｂに夫々導かれる。そして、ライトバルブ１０Ｒ、１０Ｇ及び１０Ｂにより夫々変調された３原色に対応する光成分は、ダイクロイックプリズム１１１２により再度合成された後、投射レンズ１１１４を介してスクリーンなどにカラー画像として投射される。
【０１０５】
　図１３において、電子機器の他の例たるラップトップ型のパーソナルコンピュータ１２００は、上述した液晶装置１０がトップカバーケース内に備えられており、更にＣＰＵ、メモリ、モデム等を収容すると共にキーボード１２０２が組み込まれた本体１２０４を備えている。
【０１０６】
　図１４において、電子機器の他の例たるページャ１３００は、金属フレーム１３０２内に前述の駆動回路１００４がＴＦＴアレイ基板上に搭載されて液晶表示モジュールをなす液晶装置１０が、バックライト１３０６ａを含むライトガイド１３０６、回路基板１３０８、第１及び第２のシールド板１３１０及び１３１２、二つの弾性導電体１３１４及び１３１６、並びにフィルムキャリアテープ１３１８と共に収容されている。この例の場合、前述の表示情報処理回路１００２（図１１参照）は、回路基板１３０８に搭載してもよく、液晶装置１０のＴＦＴアレイ基板上に搭載してもよい。更に、前述の駆動回路１００４を回路基板１３０８上に搭載することも可能である。
【０１０７】
　尚、図１４に示す例はページャであるので、回路基板１３０８等が設けられている。しかしながら、駆動回路１００４や更に表示情報処理回路１００２を搭載して液晶表示モジュールをなす液晶装置１０の場合には、金属フレーム１３０２内に液晶装置１０を固定したものを液晶装置として、或いはこれに加えてライトガイド１３０６を組み込んだバックライト式の液晶装置として、生産、販売、使用等することも可能である。
【０１０８】
　また図１５に示すように、駆動回路１００４や表示情報処理回路１００２を搭載しない液晶装置１０の場合には、駆動回路１００４や表示情報処理回路１００２を含むＩＣ１３２４がポリイミドテープ１３２２上に実装されたＴＣＰ（Tape  Carrier  Package）１３２０に、ＴＦＴアレイ基板１の周辺部に設けられた異方性導電フィルムを介して物理的且つ電気的に接続して、液晶装置として、生産、販売、使用等することも可能である。
【０１０９】
　以上図１２から図１５を参照して説明した電子機器の他にも、液晶テレビ、ビューファインダ型又はモニタ直視型のビデオテープレコーダ、カーナビゲーション装置、電子手帳、電卓、ワードプロセッサ、ワークステーション、携帯電話、テレビ電話、ＰＯＳ端末、タッチパネルを備えた装置等などが図１１に示した電子機器の例として挙げられる。
【産業上の利用可能性】
【０１１０】
　本発明に係る電気光学装置は、液晶、ライトエミッチングポリマー、ＬＥＤ等の電気光学装置として利用可能であり、更に本発明に係わる画素駆動回路は、各種のアクティブマトリクス駆動方式の装置に利用可能である。また、本発明に係わる電子機器は、このような電気光学装置やその駆動回路を用いて構成され、高品質の画像表示を行える電子機器等として利用可能である。
【図面の簡単な説明】
【０１１１】
【図１】液晶装置の実施の形態におけるＴＦＴアレイ基板上に形成された各種配線、周辺回路等のブロック図である。
【図２】図１の液晶装置に備えられた駆動回路の第１の実施の形態の回路図である。
【図３】（ａ）及び（ｂ）は、図２の駆動回路における各種の信号のタイミングチャートである。
【図４】図２の駆動回路を構成するクロックドインバータの回路図である。
【図５】図２の駆動回路のサンプリング回路への出力配線を変えた変形例を示す回路図である。
【図６】図１の液晶装置に備えられた駆動回路の第２の実施の形態の回路図である。
【図７】図６の駆動回路を構成するトランスミッションゲートの回路図である。
【図８】図１の液晶装置に備えられた駆動回路の第３の実施の形態の回路図である。
【図９】図２の駆動回路の第１の変形形態を説明する回路図である。
【図１０】図２の駆動回路の第２の変形形態を説明する回路図である。
【図１１】本発明による電子機器の実施の形態の概略構成を示すブロック図である。
【図１２】電子機器の一例としての液晶プロジェクタを示す断面図である。
【図１３】電子機器の一例としてのパーソナルコンピュータを示す正面図である。
【図１４】電子機器の一例としてのページャを示す分解斜視図である。
【図１５】電子機器の一例としてのＴＣＰを用いた液晶装置を示す斜視図である。
【図１６】液晶プロジェクタのＲＧＢの３色光を合成するプリズム光学系を示す概念図である。
【図１７】図３におけるタイミングチャートの波形選択信号の変形例である。
【図１８】波形選択信号線と画像信号線とのレイアウト例を示す平面図である。
【符号の説明】
【０１１２】
１…ＴＦＴアレイ基板
１０…液晶装置
１１…画素電極
３１…走査線
３５…データ線
１０１…データ線駆動回路
１０４…走査線駆動回路
１１１、１２１、１３１…双方向性シフトレジスタ
１１２ａ、１１２ｂ…波形選択回路
３０１…サンプリング回路
【図１】
2004139111.tif 000003
【図２】
2004139111.tif 000004
【図３】
2004139111.tif 000005
【図４】
2004139111.tif 000006
【図５】
2004139111.tif 000007
【図６】
2004139111.tif 000008
【図７】
2004139111.tif 000009
【図８】
2004139111.tif 000010
【図９】
2004139111.tif 000011
【図１０】
2004139111.tif 000012
【図１１】
2004139111.tif 000013
【図１２】
2004139111.tif 000014
【図１３】
2004139111.tif 000015
【図１４】
2004139111.tif 000016
【図１５】
2004139111.tif 000017
【図１６】
2004139111.tif 000018
【図１７】
2004139111.tif 000019
【図１８】
2004139111.tif 000020